(57)【特許請求の範囲】
【請求項１】
上側開口部及び正面側開口部を有するケースと、
ケース内部の上側で一端部が保持され且つ他端部に引き出し用の操作部を設けた帯状の表示シートと、
ケース内部の下側で上下方向に弾性保持した表示体ホルダと、
表示体ホルダに取付けて上側開口部に挿通可能な表示体を備え、
表示シートが、表示体ホルダの下側を経て正面側開口部からケース外部に導き出してあることを特徴とする表示装置。
【請求項２】
ケース内部の上側に架設して回転方向に弾性保持した巻回ローラを備え、この巻回ローラによって表示シートの一端部を保持していることを特徴とする請求項１に記載の表示装置。
【請求項３】
表示体ホルダが、下部案内ローラを備えると共に、ケース内部において、正面側開口部の近傍に上部案内ローラを配置し、表示シートが、下部案内ローラの下側と上部案内ローラの上側を順に経て正面側開口部からケース外部に導き出してあることを特徴とする請求項１又は２に記載の表示装置。
【請求項４】
ケース内部の両側に、弾性体連結部と同連結部よりも下位側の弾性体用ローラを夫々配置し、表示体ホルダを弾性保持する弾性体が、弾性体用ローラの下側を通して弾性体連結部と表示体ホルダの端部に係止したリング状ゴムであることを特徴とする請求項１〜３のいずれか１項に記載の表示装置。
【請求項５】
上側開口部及び正面側開口部を有するケースと、
ケース内部に架設して回転方向に弾性保持した巻回ローラと、
巻回ローラに一端部を連結して巻回され且つ他端部を正面側開口部からケース外部に導き出した帯状の表示シートと、
ケース内部で上下方向に移動可能な表示体ホルダと、
表示体ホルダに取付けて上側開口部に挿通可能な表示体と、
巻回ローラの回転運動を表示体ホルダの上下運動に変換する動力伝達機構を備えたことを特徴とする表示装置。
【発明の詳細な説明】
【技術分野】
【０００１】
本発明は、ＰＯＰ製品として、商品やサービスの宣伝・広告などを表示するのに用いられる表示装置に関するものである。
【背景技術】
【０００２】
この種の表示装置としては、ケース本体と、先端部につまみ部を有する表示シートと、表示シートの巻き上げ機構を備えたものがあった（特許文献１）。この表示装置は、つまみ部を操作してケース本体から表示シートを引き出すことで大きな表示面積を確保することができ、つまみ部から手を離すと、巻き上げ機構によって表示シートをケース本体に自動的に収容することができる。
【特許文献１】特開平７−２１９４６８号公報
【発明の開示】
【発明が解決しようとする課題】
【０００３】
ところで、上記したような従来の表示装置は、通常は必要最小限の設置面積で足りると共に、表示シートを引き出すことで大きな表示面積を確保し得るのであるが、宣伝・広告類の表示は極めて多種多様であることから、この種の装置に対する要望が留まることはなく、表示機能を高めるうえでのさらなる開発が要望されていた。
【０００４】
本発明は、上記従来の状況に鑑みて成されたもので、引き出し操作式の表示シートを備えた表示装置において、表示機能のさらなる向上を実現することができる表示装置を提供することを目的としている。
【課題を解決するための手段】
【０００５】
本発明の表示装置は、上側開口部及び正面側開口部を有するケースと、ケース内部の上側で一端部が保持され且つ他端部に引き出し用の操作部を設けた帯状の表示シートと、ケース内部の下側で上下方向に弾性保持した表示体ホルダと、表示体ホルダに取付けて上側開口部に挿通可能な表示体を備え、表示シートが、表示体ホルダの下側を経て正面側開口部からケース外部に導き出してある構成としており、上記構成をもって従来の課題を解決するための手段としている。
【０００６】
上記の表示装置は、通常では、表示シートが、ケース内部の上側で保持した一端部からケース外部に導き出した他端部に至る間において、表示体ホルダにより中間部が引き下げられて折れ曲がった状態になっている。
【０００７】
そして、表示装置は、操作部により表示シートを引き出すと、同表示シートが折れ曲がった状態から直線状態になろうと変化するのに伴って、表示体ホルダが弾性力に抗して引き上げられ、表示体ホルダとともに上昇する表示体が上側開口部からケース外部に突出する。
【０００８】
ここで、本発明の表示装置は、姿勢を変えても使用することができる。したがって、本発明の表示装置の構成において、ケースの上側、正面側及び下側、並びに上下方向は、開口部、表示シート、表示体ホルダ及び表示体などの構成部位の互いの位置関係を判りやすくするもので、必ずしも重力方向を基準としているのではない。
【発明の効果】
【０００９】
本発明の表示装置は、通常はコンパクトでありながら、表示シートを引き出すと同時に表示体が突出するので、表示面積のさらなる拡大を実現して、表示機能を大幅に高めることができる。また、当該表示装置は、表示シートを引き出すと、その引き出し方向とは異なる方向に表示体が突出するので、その動作に意外性があって、ＰＯＰ製品としてアピール性に非常に優れたものとなる。
【発明を実施するための最良の形態】
【００１０】
図１及び図２は、本発明の表示装置の一実施形態を説明する図である。
図示の表示装置Ａ１は、上側開口部Ｓ１及び正面側開口部Ｓ２を有するケース１と、ケース１内部の上側で一端部が保持され且つ他端部に引き出し用の操作部２を設けた帯状の表示シート３と、ケース１内部の下側で上下方向に弾性保持した表示体ホルダ４と、表示体ホルダ４に取付けて上側開口部Ｓ１に挿通可能な表示体５を備えている。
【００１１】
ケース１は、例えばプラスチック製であって、長方形状を成しており、主に上面部と背面部を形成する第１部材１Ａと、正面部、側面部及び底面部を形成する第２部材１Ｂを備えている。そして、ケース１は、第１部材１Ａの上面部に、横方向に延びるスリット状の上側開口部Ｓ１が形成してあると共に、第１部材１Ａの上面部と第２部材１Ｂの正面部との間に、同じく横方向に延びるスリット状の正面側開口部Ｓ２が形成してある。
【００１２】
上記の第１部材１Ａ及び第２部材１Ｂは、例えば、互いに弾性的に係脱可能な係合穴及び係止爪を相対的に設けることで、接着剤等を用いることなく簡単に組み合わせることができ、分解した状態では正面側開口部Ｓ２が開放されるので、表示シート３の組み付けや交換が容易になる。
【００１３】
表示シート３は、巻き取り可能な柔軟性と適当な引張り強度を有するものであって、例えば、紙に樹脂をコーティングしたシートや、合成樹脂製のシートなどを用いることができる。他方、表示体５は、その形状を維持し得るものであって、この実施形態では、紙製又はプラスチック製の矩形状のカードである。図示例の表示シート３及び表示体５は、ほぼ等しい横幅を有しており、商品やサービスの宣伝・広告などが記載されると共に、適宜の意匠装飾を施すことができる。
【００１４】
表示体ホルダ４は、カード状の表示体５の底辺よりも若干大きい長尺部材であって、上側に、リブ状のカード取付け部４ａを有すると共に、両端に、後記する弾性体の係止部４ｂ，４ｂを有し、下側には、下部案内ローラ６が平行に設けてある。
【００１５】
ここで、この実施形態の表示装置Ａ１は、ケース１内部の上側で表示シート３の一端部を保持するにあたり、ケース１内部の上側に架設して回転方向に弾性保持した巻回ローラ７を備えており、この巻回ローラ７によって表示シート３の一端部を保持している。
【００１６】
巻回ローラ７は、一対のブラケット８，８の間に架設してあり、その片側に連結した渦巻きばね９によって回転方向に弾性保持してある。また、一対のブラケット８，８の間には、上部案内ローラ１０と、一対の部材から成る表示体ガイド１１が互いに平行に設けてある。この際、図１（ａ）に示すように、ケース１の正面側（下側）から、上部案内ローラ１０、表示体ガイド１１及び巻回ローラ７の順で配置してある。
【００１７】
さらに、一対のブラケット８，８の相反する面には、後記する弾性体の連結部８ａ，８ａが設けてある。これらのブラケット８，８は、ケース１を構成する第１及び第２の部材１Ａ，１Ｂと同様に、互いに弾性的に係脱可能な係合穴及び係止爪によって第１部材１Ａに装着する。
【００１８】
これにより、ケース１に対して、巻回ローラ７、上部案内ローラ１０及び表示体ガイド１１が、ブラケット８と共に一つの組立て体として簡単に取付けられ、このとき、上部案内ローラ１０がスリット状の正面側開口部Ｓ２の内側に沿って配置されると共に、表示体ガイド１１がスリット状の上側開口部Ｓ１の内側に沿って配置される。表示体ガイド１１は、ケース１内部においてカード状の表示体５の倒れを防止し且つ上下動を案内する。
【００１９】
さらに、表示装置Ａ１は、ケース１内部の両側に、弾性体連結部８ｂ，８ｂと同連結部８ｂよりも下位側の弾性体用ローラ１２，１２を夫々配置している。弾性体連結部８ｂ，８ｂは、先述のブラケット８，８に設けたことで、ケース１内部の上側に位置している。これに対して、弾性体用ローラ１２，１２は、ケース１内部の下側に位置し、互いにケース１の正背面方向に平行に突出している。
【００２０】
さらに、この実施形態では、表示体ホルダ４を弾性保持する弾性体が、シリコンゴムから成るリング状ゴム１３である。このリング状ゴム１３は、一端部をブラケット８の弾性体連結部８ａに係止すると共に、弾性体用ローラ１２の下側を経由し、他端部を表示体ホルダ４の係止部４ｂに係止して緊張状態に取付けられる。これにより、表示体ホルダ４は、常に下方向に付勢された状態になっている。
【００２１】
なお、リング状ゴム１３は、上記の如く取付けた状態において、先述の巻回ローラ７を弾性保持する渦巻きばね９よりも若干大きい弾性反発力を有している。これにより、表示体ホルダ４は、通常では常に下位側の位置に維持される。
【００２２】
そして、表示装置Ａ１は、表示シート３が、巻回ローラ７から表示体ホルダ４の下部案内ローラ６の下側と上部案内ローラ１０の上側を順に経て、正面側開口部Ｓ２からケース１外部に導き出してある。
【００２３】
上記構成を備えた表示装置Ａ１は、通常では、図１（ｃ）に示すように、表示シート３が、表示体ホルダ４により中間部が引き下げられて、ケース１内部で折れ曲がった状態になっている。このとき、表示装置Ａ１は、図２（ａ）に示すように、操作部２を残して表示シート３の大半がケース１に収容され、また、表示体５もケース１に収容されている。これにより、表示装置Ａ１は、非常にコンパクトで占有面積も小さく、商品の陳列棚やボード等の各種構造体に取付けることができる。
【００２４】
次に、表示装置Ａ１は、操作部２をつまんで表示シート３を引くと、渦巻きばね９に抗して巻回ローラ７が回転することで、表示シート３がさらに引き出された後、表示シート３が折れ曲がった状態から直線状態になろうと変化するのに伴って、表示体ホルダ４がリング状ゴム１３を引張りつつ引き上げられる。これにより、表示体ホルダ４とともに上昇する表示体５が、図２（ｂ）に示す如く上側開口部Ｓ１からケース１外部に突出することとなる。
【００２５】
また、表示装置Ａ１は、操作部２から手を離せば、リング状ゴム１３の反発力で表示体ホルダ４を引き下げると共に、渦巻きばね９の反発力で巻回ローラ７が逆回転し、表示体４及び表示シート３をケース１に自動的に収容する。
【００２６】
このように、表示装置Ａ１は、通常はコンパクトでありながら、表示シート３を引き出すと同時に表示体５が突出するので、これらによって表示面積をより大きく確保することができ、表示機能が大幅に高められる。また、当該表示装置Ａ１は、表示シート３を手前に引き出すと、その引き出し方向とは異なる上方向に表示体５が突出するので、その動作に意外性があって、操作する者に興味や楽しみを与えることとなり、ＰＯＰ製品としてアピール性に非常に優れている。
【００２７】
また、本発明の表示装置は、ケース１内部において、表示シート３の一端部を定位置に連結保持しても、同様の作用及び効果が得られるが、上記実施形態の表示装置Ａ１のように、回転方向に弾性保持した巻回ローラ７により表示シート３の一端部を保持し、巻回ローラ７で表示シート３の一部を巻き取る構成にすれば、表示シート３をより長いものにして、表示面積のさらなる拡大を図ることができる。
【００２８】
さらに、上記実施形態の表示装置Ａ１は、巻回ローラ７をケース１内部の上側に配置しているので、巻回ローラ７と表示体ホルダ４との距離を充分に離して、表示体ホルダ４の昇降ストロークを最大限に確保することができる。
【００２９】
さらに、上記実施形態の表示装置Ａ１は、表示体ホルダ４に下部案内ローラ６を設けると共に、巻回ローラ７の正面側に上部案内ローラ１０を平行配置し、下部案内ローラ６の下側と上部案内ローラ１０の上側を順に経て表示シート３をケース１外部に導き出しているので、表示シート３の引き出し及び収容の動作が非常に円滑になり、長期にわたる使用にも充分耐え得るものとなる。
【００３０】
さらに、上記実施形態の表示装置Ａ１は、表示体ホルダ４を上下方向に弾性保持するにあたり、弾性体用ローラ１２の下側を通して弾性体連結部８ａと表示体ホルダ４の係止部４ｂにリング状ゴム１３を係止した構成としているので、ケース１内部において表示体ホルダ４を極力下側に保持して、ケース１内部の空間を有効に利用することができる。これにより、ケース１の小型化又は表示体５の大型化を実現することができる。
【００３１】
なお、本発明の表示装置は、上記リング状ゴム１３以外に、ケース１の底部と表示体ホルダ４の間にスプリングやゴム等の弾性体を介在させても、同様の作用及び効果を得ることができる。ただし、このような場合には、弾性体の介在空間や表示体ホルダ４の下降位置を規制するストッパが必要になることがある。これに対して、上記実施形態の表示装置Ａ１では、変形自在なリング状ゴム１３を採用したので、上述の如く表示体ホルダ４を極力下側に保持する構成を実現して、ケース１の底部と表示体ホルダ４との間隔を必要最小限にすることができる。
【００３２】
さらに、上記実施形態の表示装置Ａ１は、例えば図２に示す状態から横倒しにして、正面側開口部Ｓ２が上向きになる姿勢にしたり、さらに回動させて各開口部Ｓ１，Ｓ２が竪になる姿勢にしたりして使用することもできる。
【００３３】
図３は、本発明の表示装置の他の実施形態を説明する図である。
図示の表示装置Ａ２は、先の実施形態（図１及び図２参照）と同等の構成を備えると共に、表示体５が延長部５Ａを有していて、この延長部５Ａが常に外部に突出したものとなっている。なお、延長部５Ａの形状は自由に選択することができ。
【００３４】
上記の表示装置Ａ２は、先の実施形態と同様の作用及び効果が得られるうえに、延長部５Ａにより、表示面積や表示形態がさらに拡大されるうえに、アイキャッチャーとしての機能がより一層高められる。
【００３５】
図４は、本発明の表示装置のさらに他の実施形態を説明する図である。
図示の表示装置Ａ３は、基本的に先の実施形態（図１及び図２参照）と同等の構成を備えていると共に、表示体ホルダ４に、扇形状カードから成る表示体１５が設けてある。この表示体１５は、表示体ホルダ４に対して回転自在に連結してあると共に、ねじりコイルばね１６によって、図４（ａ）中の矢印で示す外側方向に常時付勢してあり、上端部片側が上側開口部の端部に当接した状態になっている。
【００３６】
上記の表示装置Ａ３は、表示シート３を引くと、表示体ホルダ４とともに表示体１５が上昇し、図４（ｂ）に示すように、同表示体１５が、その側辺を上側開口部の端部に摺接させながら回動する。また、表示体１５は、表示シート３の収容時には、下降とともにねじりコイルばね１６に抗して逆回動する。
【００３７】
上記の実施形態では、一枚の表示体１５を設けた場合を示したが、二枚の表示体を左右両側に回動させる構成にしたり、回動する表示体１５と固定の表示体を組み合わせたりすることもできる。
【００３８】
図５は、本発明の表示装置のさらに他の実施形態を説明する図である。
図示の表示装置Ａ４は、図１に示す実施形態と同様の上側開口部（Ｓ１）及び正面側開口部（Ｓ２）を有するケース１と、ケース内部に架設して回転方向に弾性保持した巻回ローラ７と、巻回ローラ７に一端部を連結して巻回され且つ他端部を正面側開口部（Ｓ２）からケース外部に導き出した帯状の表示シート３と、ケース内部で上下方向に移動可能な表示体ホルダ４と、表示体ホルダ４に取付けて上側開口部（Ｓ１）に挿通可能な表示体５を備えている。
【００３９】
巻回ローラ７は、ケース１に収容したブラケット（図示せず）に装着してあり、先の実施形態と同様に、端部に連結した渦巻きばね（９）等の弾性体によって一回転方向に弾性保持してある。
【００４０】
そして、この実施形態の表示装置Ａ１は、巻回ローラ７の回転運動を表示体ホルダ４の上下運動に変換する動力伝達機構２０を備えている。動力伝達機構２０は、巻回ローラ７の端部に設けた駆動ギア２１と、大小の歯車２２ａ，２２ｂを一体化したピニオン２２と、フェースギア２３と、アーム２４を備えている。
【００４１】
ピニオン２２は、図示しないブラケットに回転自在に装着してあって、大歯車２２ａを巻回ローラ７の駆動ギア２１に係合させると共に、小歯車２２ｂをフェースギア２３に係合させている。フェースギア２３は、同じく図示しないブラケットに回転自在に装着してあると共に、裏面にカム溝（一部を示す）２３ａが形成してある。
【００４２】
アーム２４は、同じく図示しないブラケットに対して、一端部に設けた回動軸２４ａを回動自在に装着すると共に、中間部に設けた円形のカム凸部２４ｂをフェースギア２３のカム溝２３ａに係合させ、さらに、他端部に設けた円形の連結凸部２４ｃを表示体ホルダ４の係合孔４ａに係合させている。係合孔４ａは、アーム２４の回動に追従し得るように水平方向の長孔になっている。
【００４３】
上記構成を備えた表示装置Ａ４は、非常にコンパクトで占有面積も小さく、商品の陳列棚やボード等の各種構造体に取付けることができる。
【００４４】
そして、表示装置Ａ４は、操作部２をつまんで表示シート３を引くと、巻回ローラ７が回転し、この回転運動が動力伝達機構２０を介して、表示体ホルダ４の上昇運動に変換される。
【００４５】
すなわち、巻回ローラ７の回転は、駆動ギア２１及びピニオン２２を介してフェースギア２３に伝達される。図中の矢印で示すように、フェースギア２３が回転すると、フェースギア２３のカム溝２３ａに添ってアーム２４のカム凸部２４ｂが案内され、アーム２４が上方に回動して表示体ホルダ４が上昇する。これにより、表示体ホルダ４とともに上昇する表示体５がケース１外部に突出する。
【００４６】
また、表示装置Ａ４は、操作部２から手を離すと、弾性保持してある巻回ローラ７が自動的に逆転して表示シート３を巻き戻し、巻回ローラ７、駆動ギア２１、ピニオン２２及びフェースギア２３が逆回転し、且つアーム２４が逆回動して、表示体ホルダ４とともに表示体５が下降する。
【００４７】
上記の表示装置Ａ４は、先の実施形態と同様に、通常はコンパクトでありながら、表示シート３を引き出すと同時に表示体５が突出するので、表示シート３及び表示体５によって表示面積を大きく確保することができ、表示機能が大幅に高められる。また、表示シート３を手前に引くと表示体５が上方向に突出するので、その動作に意外性があって、操作する者に興味や楽しみを与えることとなり、ＰＯＰ製品としてアピール性に非常に優れたものとなる。
【００４８】
さらに、上記表示装置Ａ４は、複数のギア２１，２２，２３やアーム２４及びカム機構からなる動力伝達機構２０を採用しているので、表示シート３の引き出しを入力とする表示体５の昇降動作がより円滑で且つより確実なものとなり、長期にわたって良好な動作を行うことができる。
【００４９】
本発明の表示装置は、その構成が上記各実施形態に限定されるものではなく、各構成部位の形態、数及び材料などを適宜変更することができ、例えば、表示体ホルダ４を弾性保持する弾性体（リング状ゴム１５）、巻回ローラ７を弾性保持する弾性体（渦巻きばね９）及び表示体１５を弾性保持する弾性体（ねじりコイルばね１６）として、各実施形態以外のものを採用することも当然可能である。
【００５０】
また、ケース１の形状にあっても、長方形状以外の各種立体形状にすることが可能である。さらに、上記各実施形態では、表示シート３を二つに折り曲げた状態で収容したが、折り曲げ回数を増やして複数枚の表示体を上下動させることも可能であり、さらに、スリット状の上側開口部Ｓ１とカード状の表示体５，１５を例示したが、上側開口部の形状を変更して立体的な表示体を突没させることも可能である。
【００５１】
さらに、図５に示す表示装置Ａ４では、各ギア２１，２２，２３及びアーム２４を備えた動力伝達機構２０を例示したが、動力伝達機構２０は、その詳細な構成が同実施形態に限定されるものではなく、巻回ローラ７の回転運動を表示体ホルダ４の上下運動に変換する各種の伝達機構を採用することが可能である。
【００５２】
ただし、当該表示装置は、主にＰＯＰ製品として使用するものであるから、コンパクト化、表示シートの操作性及び突出させた表示体の視認性などを考慮すると、上記各実施形態ように一枚のカード状の表示体を備えた構造にすることがより好ましい。
【図面の簡単な説明】
【００５３】
【図１】本発明の表示装置の一実施形態を説明する水平断面図（ａ）、正面の断面図（ｂ）及び側面の断面図（ｃ）である。
【図２】図１に示す表示装置の通常状態を示す斜視図（ａ）、及び表示状態を示す斜視図（ｂ）である。
【図３】本発明の表示装置の他の実施形態において、通常状態を示す正面図（ａ）及び表示状態を示す正面図（ｂ）である。
【図４】本発明の表示装置のさらに他の実施形態において、通常状態を示す正面図（ａ）及び表示状態を示す正面図（ｂ）である。
【図５】本発明の表示装置のさらに他の実施形態を説明ずる断面図である。
【符号の説明】
【００５４】
Ａ１  Ａ２    表示装置
Ａ３  Ａ４    表示装置
Ｓ１          上側開口部
Ｓ２          正面側開口部
１            ケース
２            操作部
３            表示シート
４            表示体ホルダ
５  １５      表示体
６            下部案内ローラ
７            巻回ローラ
８ａ          弾性体連結部
１０          上部案内ローラ
１２          弾性体用ローラ
１３          リング状ゴム（弾性体）
２０          動力伝達機構
【図１】
0004990185.tif 000002
【図２】
0004990185.tif 000003
【図３】
0004990185.tif 000004
【図４】
0004990185.tif 000005
【図５】
0004990185.tif 000006